(57)【要約】【課題】集合住宅等での簡易施工による工期の短縮及び浴室ユニットを取り替えることなく、安価に暖房機能が付加できる浴室暖房装置を提供する。【解決手段】給排気口を屋外に位置し配管類の接続部が浴室４内の壁面側に位置して浴室外壁の貫通孔に設置される外壁貫通設置型の給湯付風呂釜１２と、浴槽３と、給湯付風呂釜１２と浴槽３とを接続する往き管１８と戻り管１８との追焚き循環路の途中に設けた切替機構１４と、温水循環パイプ５を配設した暖房パネル３７を備え、切替機構１４と暖房パネル３７とを暖房往き管３３と暖房戻り管３４との暖房循環路で接続し、切替機構１４により、給湯付風呂釜１２からの湯が、暖房パネル３７を経由して追焚き循環路の戻り管１９に戻る経路と、浴槽３に給湯された後この浴槽内の湯水が追焚き循環路の戻り管１９に戻る経路とに切り替える浴室暖房装置。【選択図】　図１
2004028494.tif 000002
【特許請求の範囲】
【請求項１】
給排気口を屋外に位置し配管類の接続部が浴室内の壁面側に位置して浴室外壁の貫通孔に設置される外壁貫通設置型の給湯付風呂釜と、浴槽と、上記給湯付風呂釜と浴槽とを接続する往き管と戻り管との追焚き循環路の途中に設けられる切替機構と、温水循環パイプを配設した暖房パネルを備え、前記切替機構と暖房パネルとを暖房往き管と暖房戻り管との暖房循環路で接続し、前記切替機構により、給湯付風呂釜からの湯が、暖房パネルを経由して追焚き循環路の戻り管に戻る経路と、浴槽に給湯されこの浴槽内の湯水が追焚き循環路の戻り管に戻る経路とに切り替える浴室暖房装置。
【請求項２】
切替機構は、流路切替弁と循環水タンクを備え、流路切替弁を追焚き循環路の往き管の途中に設け、この流路切替弁の一方は浴槽の循環口の入口側に接続し、他方は暖房パネルの入口側に接続して、浴槽の循環口の出口側と暖房パネルの出口側は浴槽戻り管と暖房戻り管との暖房循環路を介して前記循環水タンクに接続してなる請求項１記載の浴室暖房装置。
【請求項３】
切替機構が、流路切替弁により、浴槽の循環口側と暖房パネル側とで各々の温水の循環路を形成してなる請求項２記載の浴室暖房装置。
【請求項４】
切替機構を、浴槽と浴室壁面との間の間隔に配設してなる請求項１〜請求項３のいずれかに記載の浴室暖房装置。
【請求項５】
暖房パネルを、洗い場床、又は洗い場床と壁面に設けてなる請求項１〜請求項４のいずれかに記載の浴室暖房装置。
【発明の詳細な説明】
【０００１】
【発明の属する技術分野】
本発明は、主として家庭用の浴室内洗い場床面などの暖房に好適な浴室暖房装置に関する。
【０００２】
【従来の技術】
温水による浴室の床暖房装置として、図８に示すように浴室ユニット１などのの床面に設置した床暖房下部体２と、給湯付風呂釜に暖房用熱源機を備えて屋外に設置した複合機２３とを接続するようにしたものが知られており、複合機２３は、追焚用燃焼部２４と追焚用ポンプ２５、給湯用燃焼部２６、暖房用燃焼部２７、床暖房用循環ポンプ２８等から構成され、浴室ユニット１は、下部体の洗い場床６を暖房するための下部体床面に、温水循環用の温水循環パイプ５が蛇管状に埋設されて一体の成形品となっている。
上記複合機２３の床暖房用熱交換器と床暖房用循環ポンプ２８に接続される温水循環パイプ５一体型ユニット下部体には、温水循環パイプ入口接続部９と温水循環パイプ出口接続部１１があり、其々を複合機２３の床暖房用接続口２０に配管接続し、この床暖房用熱交換器で水又は不凍液を加熱し、循環ポンプ２８により温水を循環させて浴室ユニット下部体の温水循環パイプ５を通過させ、温水循環パイプ５が埋設されたユニット床面は、温水が通過することによる伝熱効果により暖まる構造となっている。
【０００３】
上記床暖房装置の動作は、リモコン（図示省略）等のスイッチ操作により床暖房指示が出されると、複合機２３の床暖房用循環ポンプ２８により循環水タンク２９の水が床暖房用燃焼部２７に送られ、その後、床暖房用燃焼部２７が燃焼し流入した水を加熱して温水として、複合機２３と浴室ユニッ１の床の温水循環パイプ５とを接続した循環配管３０を経由して浴室ユニット洗い場床６の温水循環パイプ５へと温水が供給される。ユニット床に埋設された温水循環パイプ５を温水が通過することにより、ユニット床面への伝熱により床面が加温され床暖房を行う。ユニット床暖房で熱を奪われた温水は循環配管３０を経由して循環水タンク２９に戻る。また、循環水タンク２９には水が不足した場合に水を供給できる機構（図示省略）が設けられている。
【０００４】
しかし、従来の技術で述べた給湯付風呂釜は、主に戸建て住宅用に使用するものであり、集合住宅の浴室リフォーム等においては、浴室の床暖房は、浴室ユニット全体を取替える等、非常に高額の費用がかかりその作業が困難である。また、浴室洗い場の床暖房用熱源機を備えた複合機による床暖房装置では、浴室の床暖房のために、給湯付風呂釜とは別に少なくとも専用の暖房用燃焼部と循環ポンプが必要であり、そのために器具費用が高くなって浴室の床暖房の普及を阻害していた。
【０００５】
【発明が解決しようとする課題】
本発明は、集合住宅等での簡易施工による工期の短縮及び浴室ユニットを取り替えることなく、安価に暖房機能が付加できる浴室暖房装置を提供することにある。
【０００６】
【課題を解決するための手段】
本発明は、次のものに関する。
（１）給排気口を屋外に位置し配管類の接続部が浴室内の壁面側に位置して浴室外壁の貫通孔に設置される外壁貫通設置型の給湯付風呂釜と、浴槽と、上記給湯付風呂釜と浴槽とを接続する往き管と戻り管との追焚き循環路の途中に設けられる切替機構と、温水循環パイプを配設した暖房パネルを備え、前記切替機構と暖房パネルとを暖房往き管と暖房戻り管との暖房循環路で接続し、前記切替機構により、給湯付風呂釜からの湯が、暖房パネルを経由して追焚き循環路の戻り管に戻る経路と、浴槽に給湯されこの浴槽内の湯水が追焚き循環路の戻り管に戻る経路とに切り替える浴室暖房装置。
（２）切替機構は、流路切替弁と循環水タンクを備え、流路切替弁を追焚き循環路の往き管の途中に設け、この流路切替弁の一方は浴槽の循環口の入口側に接続し、他方は暖房パネルの入口側に接続して、浴槽の循環口の出口側と暖房パネルの出口側は浴槽戻り管と暖房戻り管との暖房循環路を介して前記循環水タンクに接続してなる上記（１）記載の浴室暖房装置。
（３）切替機構が、流路切替弁により、浴槽の循環口側と暖房パネル側とで各々の温水の循環路を形成してなる上記（２）記載の浴室暖房防装置。
（４）切替機構を、浴槽と浴室壁面との間の間隔に配設してなる上記（１）〜（３）のいずれかに記載の浴室暖房装置。
（５）暖房パネルを、洗い場床、又は洗い場床と壁面に設けてなる上記（１）〜（４）のいずれかに記載の浴室暖房装置。
【０００７】
【発明の実施の形態】
本発明の浴室暖房装置に用いる給湯付風呂釜は、通常のシャワー及び洗面所、台所等への給湯と浴槽への湯張りのための給湯用燃焼部及び追焚のための追焚用燃焼部を備える構造の給湯付風呂釜であって、従来の浴室外壁のバランス釜給排気筒穴の四方形穴に浴室内側から嵌め込んで浴室壁面に固定し、本体の給排気部を屋外に突き出し、給水、給湯、ガス、追焚き等の配管類の接続部が浴室内の壁面側に配置される構造の外壁貫通設置型の給湯付風呂釜が使用される。
このように、配管類の接続部が浴室内の壁面側に位置し且つ浴槽を設置した状態において上記の配管類の接続部が浴槽上縁面下部の露出しない部分に位置して設置する外壁貫通設置型の給湯付風呂釜により、施工の簡素化、工期の短縮、配管経路の短縮による浴室の床面などの暖房時の放熱ロスを少なくする。
この外壁貫通設置型の給湯付風呂釜の本体には、ガス電磁弁、ファン、給湯バーナ（給湯用燃焼部）及び風呂バーナ（追焚用燃焼部）、浴槽水を強制循環させる追焚用循環ポンプ、給湯用熱交換器及び、追焚用熱交換器が設けられ、これらを制御するコントローラが配置される。
そして、風呂釜本体の浴室内に配設される配管類の接続部としての往き湯口及び戻り湯口と浴室に設置される浴槽の循環口とを往き管と戻り管からなる循環経路（循環配管）で接続して、風呂釜本体と浴槽との間を湯水が循環できるようにする。
【０００８】
浴室の洗い場床の床暖房や浴室の壁面下部に設けて暖房する暖房パネルは、パネル内部に、樹脂管又は金属管からなる温水循環パイプを蛇行状に配設して埋設され、この暖房パネルを浴室の床面や壁面の下部に適宣に配設する。暖房パネルを配設する位置は、浴室の洗い場床面のみならず、浴室の壁面に配設して輻射熱による浴室暖房効果を実現する。
【０００９】
切替機構は、浴室の暖房パネルを介し浴槽を経由して循環路に戻る流路と、浴室の暖房パネルを介さずに浴槽のみを経由する通常の追焚経路と、浴室の暖房パネルのみを経由する経路とに切り替えるために、給湯付風呂釜と浴槽とを接続する往き管、戻り管の追焚用循環経路の往き管の途中に設け、少なくとも１個以上の流路切替弁と循環水タンク、更には、暖房パネルを経由した温水が浴槽を経由することなく直接循環経路の戻り管に連通するバイパス流路を、浴槽に連通する流路とは別に備え、この切替機構の往き管への接続は、切替機構の一方は浴槽の循環口に連通するように配管接続し、他方は暖房パネルを経由してから浴槽の循環口に連通するように循環路から分岐して配管接続して、このように構成することで、切替機構による流路の切り替えにより、浴室の暖房・浴槽の追焚の同時運転と、浴室暖房の単独運転、追焚の単独運転を可能とするのが好ましい。
【００１０】
切替機構は、手動式又は電動式のいずれでもよく、主として三方弁や開閉弁が使用され、１個の三方弁と１個の開閉弁で切り替える方法の他、１個の三方弁で切り替える方法、あるいは２個の開閉弁による方法のいずれでもよい。
【００１１】
また、浴槽に湯が入っていない状態でも浴室の暖房運転ができるように、温水の循環経路が、切替機構の流路切替弁により、浴槽の循環口側と暖房パネル側とで各々の温水の循環路を形成するのが好ましい。
【００１２】
さらに、給湯付風呂釜と切替機構との間の接続配管部分、及び切替機構と浴槽及び暖房パネルとの間の接続配管部分が、浴槽を設置した状態において浴槽上縁面下方に位置して浴室内側に露出しないように、切替機構は、浴槽上縁面下と浴室壁面との間の間隔に配設するのが好ましい。なお、この場合、給湯付風呂釜と切替機構との配管接続、及び切替機構と浴槽及び暖房パネルとの配管接続作業や切替機構のメンテナンス作業時には、浴槽の洗い場側に着脱可能に装着されるエプロンを取り外して行う。
【００１３】
【作用】
本発明による浴室暖房装置では、追焚用の循環経路の往き管の途中に設けられ、浴室の暖房パネルを介し浴槽を経由して循環経路に戻る流路と、浴室の暖房パネルを介さず浴槽のみを経由する通常の追焚経路と、浴室の暖房パネルのみを経由する流路とに切り替える切替機構によって、三通りの作動をすることが可能となる。
その一つは、浴室の暖房パネルを経由しない流路に切り替えた場合の通常の追焚機能であり、また、二つめの機能は、浴槽に湯が入った状態で、切替機構により暖房パネルを介し浴槽を経由して循環経路の戻る側の流路に切り替えて給湯付風呂釜の追焚用ポンプを駆動すると、浴槽の湯が暖房パネルに送られ、その後浴槽に戻る経路が形成されて、浴槽の追焚と同時に浴室の暖房が行われる。
さらに、三つ目の機能は、浴槽に湯が無い状態でも、浴室の暖房パネルのみを経由する流路に切り替えて給湯付風呂釜の追焚用ポンプを駆動すると、切替機構内に設けた循環水タンクの湯が暖房パネルに送られ、浴槽を経由することなく直接循環路の戻り管に連通する経路が形成されて、浴室の暖房運転のみを行う機能である。
【００１４】
【実施例】
以下、本発明の実施例を図１乃至図７を参照して説明する。
図１及び図２は本発明に係る浴室暖房装置の実施例を示す概略構成図、図３〜図５は図１及び図２に示した浴室暖房装置の要部構成図、図６〜図７はそれぞれ図３〜図５に示した切替機構別の実施例を示す説明図である。
【００１５】
図１において、浴室４の暖房装置は、浴室４内に設置された浴槽３と、浴室洗い場床６面に配設された温水循環パイプ５を樹脂シート３８に蛇管状に埋設された暖房パネル３７と、追焚用燃焼部２４、追焚用循環ポンプ２５及び給湯用燃焼部２６等を内蔵して浴室４の外壁面に給排気口を屋外に向けて設置された給湯付風呂釜１２を備え、給湯付風呂釜１２と浴槽３とは、浴槽３の循環口８に往き管１８と戻り管１９とからなる循環経路１７（追焚配管）を介して連通され、浴槽３内の温水を給湯付風呂釜１２の追焚用ポンプ２５の駆動により戻り管１９を介して吸引し給湯付風呂釜１２の追焚用燃焼部２４で加熱し往き管１８を介して浴槽３に戻して追焚する構成とする。
図２は、前記の暖房パネル３７を浴室４の壁面下部に配置した場合の実施例を示す概略構成図である。
【００１６】
図３は、循環経路１７の往き管１８の途中に流路切替弁としての三方弁２１と、開閉弁２２、循環水タンク２９を備えた切替機構１４を設けて、この切替機構１４により、往き管１８を通る温水を暖房パネル３７を経由した後、浴槽３へと戻す追焚と暖房を同時に運転する場合の流路と、暖房パネル３７を経由することなく浴槽３に直接戻す追焚運転のみを行う場合の流路と、浴槽３を経由することなく、切替機能１４に設けた循環水タンク２９の温水を利用し暖房パネル３７のみを経由する暖房運転のみを行う場合の流路とに切り替えられるように配管接続して構成した場合の実施例を示す。
【００１７】
図３は浴槽の追焚き単独運転の場合を示し、給湯付風呂釜１２のリモコンで追焚のスイッチ操作を行うと、切替機構１４が循環口８及び浴槽３を経由する方向に切り替わり、三方弁２１のＡ部とＣ部及び、開閉弁２２が開状態となる。追焚用ポンプ２５の駆動により、浴槽水は循環口８より浴槽３の戻り管１９を通り、循環水タンク２９を介して吸引され、追焚用燃焼部２４で加熱された後、浴槽３の往き管１８を通り循環口８を介して浴槽３へと戻される通常の追焚運転を行う。
【００１８】
図４は暖房運転の場合であり、給湯付風呂釜１２のリモコンで暖房のスイッチ操作を行うと、切替機構１４が暖房する方向に切り替わり、この場合は三方弁２１のＡ部とＢ部が開状態、開閉弁２２が閉状態となる。追焚用ポンプ２５の駆動により、循環水タンク２９の温水が吸引され追焚用燃焼部２４で加熱された後、暖房往き管３３を通り暖房パネル３７へと流入する。暖房パネル３７では、パネルに埋設された温水循環パイプ５を流れる温水によりパネルへ伝熱しパネルが暖められる。温水循環パイプ５を通過した温水は、暖房戻り管３４を通り、循環水タンク２９へ戻される暖房運転を行う。
【００１９】
次に、図５は浴槽の追焚き及び暖房を同時に運転する場合で、給湯付風呂釜１２のリモコンで追焚、及び暖房のスイッチ操作を行うと、切替機構１４が循環口８及び浴槽３を経由する追焚流路と、暖房パネル３７を経由する暖房流路とを並列に経由する方向に切り替わり、この場合は三方弁２１のＡ部とＢ部及びＣ部が開状態、開閉弁２２が開状態となる。追焚用ポンプ２５の駆動により、浴槽水は循環口８より浴槽戻り管３２を通り、開閉弁２２を通り循環水タンク２９を介して吸引され、追焚用燃焼部２４で加熱された後、追焚用温水は三方弁２１のＣ方向に流れ、暖房用温水は三方弁２１ののＢ方向へと流れ、追焚用の温水は浴槽往き管３１を通り循環口８を介して浴槽３へと流入する。その後浴槽水は循環口８より浴槽戻り管３２，開閉弁２２を通り、循環水タンク２９へ流入する。一方、暖房用温水は暖房往き管３３から暖房パネル３７を通り暖房戻り管３４より循環水タンク２９へ流入する。ここで、追焚燃焼部２４は、浴槽３及び暖房循環用温水のお湯の設定温度が保てるように、循環水タンク２９の湯の戻り温水温度を検出して、燃焼させる又は燃焼はさせずに浴槽３のお湯の熱量を利用して暖房パネル３７を暖める方法でもよい。
【００２０】
上記で説明した図１〜図５の実施例では、追焚用燃焼部２４で加熱された温水が、切替機構１４内に設けられた１個の三方弁２１と１個の開閉弁２２で追焚流路と、暖房流路とに分岐され、その後循環水タンク２９で合流し、追焚用ポンプ２５で吸引され、追焚用燃焼部２４へと戻る構成となっている。すなわち、温水の循環回路は並列回路となる。温水がそれぞれ、循環口８と暖房パネル３７に流れるため、直列の回路構成に比べ熱損失が少なく、効率よい運転が可能となる。また、この実施例の構成においては、三方弁２１を１つとしたため、構造が容易で安価に製作することができる。
【００２１】
なお、図１及び図２中に示した切替機構１４としては、図３に示すように１個の三方弁２１と１個の開閉弁２２で切り替えられる構成とする以外に、図５に示すように１個の三方弁２１で切り替える構成、あるいは、図６に示すように２個の開閉弁２２で切り替えられる構成のいずれも採用できる。
【００２２】
図７は、循環水が追焚用燃焼部２４から暖房往き管３３を通り、切替機構１４内の三方弁２１を介して暖房パネル３７に入る配管経路で、三方弁２１から暖房パネル３７の配管の途中に、暖房戻り管３４へ接続するバイパス管３５を設けた実施例である。
通常、給湯付風呂釜１２で追焚を行う場合の循環量は６〜９（リットル／分）であり、熱交換器の空焚き防止や安全性を確保するため、給湯流路および追焚流路に、流水を検知するための水流スイッチ３６等のセンサを設けている。しかし、水流スイッチ３６が水流を検知する設定水量はさまざまである。
【００２３】
一方、暖房パネル３７内の温水循環パイプ５を流れる水量は、１〜４（リットル／分）と比較的少ない循環量であるため、暖房の単独運転の場合は、水流スイッチ３６が流水を検知するための規定流量以下となる場合があり、その場合、追焚燃焼がされず循環水が加熱されない状態で、水が暖房パネル３７内の温水循環パイプ５を循環することになる。
そこで、図７に示す実施例においては、追焚用燃焼部２４からの温水は暖房往き管３３のバイパス管３５までは、追焚き循環量と同じ水量が流れ、前記バイパス管３５で、暖房パネル３７への流路と、暖房戻り管３４への流路に分岐される。
【００２４】
その後、暖房パネル３７を通った循環水は温水循環パイプ５の出口から、暖房戻り管３４へ流れ、バイパス管３５部で暖房往き管３３からの循環水と合流する構成としたものであり、これにより、給湯付風呂釜１２の追焚循環水量は、追焚単独運転、暖房単独運転及び追焚と暖房の同時運転という運転状態に関係なく、水流スイッチ３６が検知する流量を一定にすることができる。
【００２５】
本発明では、給湯付風呂釜１２として、浴室外壁の給排気口用の四方形穴に浴室内側から嵌め込んで浴室壁面に固定して本体部分を屋外に突出し、湯、水、ガス等の配管接続部が浴室内の壁面側に配置される構造の外壁貫通設置型としたが、風呂釜に備えた循環ポンプを暖房パネル用に利用する点では屋外据置式の給湯付風呂釜の使用も可能である。
なお、本発明の実施例のように外壁貫通設置型の給湯付風呂釜を使用した場合は、壁貫通型の給湯付風呂釜と暖房パネル３７はどちらも浴室４の内部に位置することになるため、施工からメンテナンスに至るまでの作業を簡易化でき、また、温水循環のための暖房循環用ポンプを小型化でき、さらには循環路が短くなるので暖房中の放熱ロスを少なくすることができる効果が得られる。
また、実施例では、暖房パネル３７を浴室４の洗い場の床面に配設しているが、この設置場所は浴室４の内部であれば浴室床面または壁面等、特に限定するものではない。
【００２６】
【発明の効果】
本発明によれば、給排気口を屋外に位置し配管類の接続部が浴室内の壁面側に位置して浴室外壁の貫通孔に設置される外壁貫通設置型の給湯付風呂釜と、浴槽と、給湯付風呂釜と浴槽とを接続する往き管と戻り管との追焚き循環路の途中に設けられる切替機構と、温水循環パイプを配設した暖房パネルを備え、切替機構と暖房パネルとを暖房往き管と暖房戻り管との暖房循環路で接続し、切替機構により、給湯付風呂釜からの湯が、暖房パネルを経由して追焚き循環路の戻り管に戻る経路と、浴槽に給湯されこの浴槽内の湯水が追焚き循環路の戻り管に戻る経路とに切り替える浴室暖房装置としており、熱損失が少なく、効率良い運転が可能となるとともに、外壁貫通設置型の給湯付風呂釜の使用によって、専用の暖房用燃焼部と循環ポンプがなくても浴室の暖房ができて、設備費用を増加させずに機能付加ができる。
さらに、給湯付風呂釜が、湯、水、ガス等の配管類の接続部が浴室内の壁面側に配置される構造の外壁貫通設置型であるため、配管施工やメンテナンス作業の簡略化及び工期の短縮ならびに設備費用の低減が図れる。
【図面の簡単な説明】
【図１】本発明に係る浴室暖房装置の一実施例を示す概略構成図である。
【図２】図１の別実施例による浴室暖房装置の概略構成図である。
【図３】図１及び図２に示した浴室暖房装置の要素構成図である。
【図４】図１及び図２に示した浴室暖房装置の要素構成図である。
【図５】図３及び図４の別実施例による浴室暖房装置の要素構成図である。
【図６】別実施例による浴室暖房装置の要素構成図である。
【図７】別実施例による浴室暖房装置の要素構成図である。
【図８】従来例による浴室の暖房装置の概略構成図である。
【符号の説明】
１　浴室ユニット　　　　　　　　　　　２　床暖房下部体
３　浴槽　　　　　　　　　　　　　　　４　浴室
５　温水循環パイプ　　　　　　　　　　６　洗い場床
７　暖房熱源機　　　　　　　　　　　　８　循環口
９　温水循環パイプ入口接続部　　　　１０　暖房用熱交換器
１１　温水循環パイプ出口接続部
１２　給湯付風呂釜（外壁貫通設置型）　１３　配管接続部
１４　切替機構　　　　　　　　　　　　１５　リモコン
１６　コントロール基板　　　　　　　　１７　循環経路（循環配管）
１８　往き管　　　　　　　　　　　　　１９　戻り管
２０　暖房用接続口　　　　　　　　　　２１　三方弁（流路切替弁）
２２　開閉弁　　　　　　　　　　　　　２３　複合機
２４　追焚用燃焼部　　　　　　　　　　２５　追焚用ポンプ
２６　給湯用燃焼部　　　　　　　　　　２７　暖房用燃焼部
２８　暖房用循環ポンプ　　　　　　　　２９　循環水タンク
３０　循環配管　　　　　　　　　　　　３１　浴槽往き管
３２　浴槽戻り管　　　　　　　　　　　３３　暖房往き管
３４　暖房戻り管　　　　　　　　　　　３５　バイパス管
３６　水流スイッチ　　　　　　　　　　３７　暖房パネル
３８　樹脂シート　　　　　　　　　　　３９　バイパス管
４０　水流スイッチ
【図１】
2004028494.tif 000003
【図２】
2004028494.tif 000004
【図３】
2004028494.tif 000005
【図４】
2004028494.tif 000006
【図５】
2004028494.tif 000007
【図６】
2004028494.tif 000008
【図７】
2004028494.tif 000009
【図８】
2004028494.tif 000010